(57)【要約】      （修正有）【課題】メガネの嵩だか等を抑える為につるを横向きにする蝶番を設けたメガネの提供。【解決手段】レンズを嵌めたフレームあるいはレンズをブリッジで結び、内側に鼻パットを設け、外側にＬ形金具及び蝶番を介してつるを設けたメガネにおいて、Ｌ形金具の後部の上下面に、内側に凹部を設けた挟み板を設け、コの字形に曲げて蝶番のメス部とし、つるの先端を削って回転防止板を設け、玉を取り付けて蝶番のオス部とし、メス部にオス部を差込、折り畳みと捻りが出来る事を特徴とする。【選択図】図２
2006343742.tif 000002
【特許請求の範囲】
【請求項１】
レンズを嵌めたフレームあるいはレンズをブリッジで結び、内側に鼻パットを設け、外側にＬ形金具及び蝶番を介してつるを設けたメガネにおいて、Ｌ形金具の後部の上下面に、内側に凹部を設けた挟み板を設け、コの字形に曲げて蝶番のメス部とし、つるの先端を削って回転防止板を設け、玉を取り付けて蝶番のオス部とし、メス部にオス部を差込、折り畳みと捻りが出来る事を特徴とするメガネ。
【発明の詳細な説明】
【技術分野】
【０００１】  本発明は、メガネの嵩だか等を抑える為に、つるを横向きにする蝶番を設けたメガネに関するものである。
【背景技術】
【０００２】  従来、蝶番はつるを９０°開閉するものであった。
【発明の開示】
【発明が解決しょうとする課題】
【０００３】  そのために、次のような欠点があった。
（イ）ほぼ水平のつるを使用した場合、つるを頭部に密着させると湾曲して、折り畳むと嵩が高くなり、ケースに入らない事があった。
【課題を解決するための手段】
【０００４】  レンズを嵌めたフレームあるいはレンズをブリッジで結び、内側に鼻パットを設け、外側にＬ形金具及び蝶番を介してつるを設けたメガネにおいて、Ｌ形金具の後部の上下面に、内側に凹部を設けた挟み板を設け、コの字形に曲げて蝶番のメス部とし、つるの先端を削って回転防止板を設け、玉を取り付けて蝶番のオス部とし、メス部にオス部を差し込む蝶番を設ける。
【発明の効果】
【０００５】  湾曲したつるを９０°横向きにする事で、嵩張らず、浅いケースでも入れる事が出来る。
【発明を実施するための最良の形態】
【０００６】  図１から図４を用いて本発明の第１の実施の形態に付いて説明するが、図面はもっぱら解説の為のもので、技術的範囲を限定する物ではない。
（イ）Ｌ形金具５・５の後部の上面と下面に挟み板６・６・６・６を設け、更にそれらの前部の両内側に玉１１・１１が入る浅い半球の凹部７・７・７・７を対面して設け、隙間１０・１０をあけて、ほぼコの字形に折り曲げて蝶番９・９のメス部９ａ・９ａとする。
（ロ）つる１４・１４の先端を隙間１０・１０の高さと同じ角形に削り、回転防止板１３・１３を設け、更に回転防止板１３・１３を少し残して先端部を細い丸棒に削り直し、首部１２・１２を設けて玉１１・１１を繋ぎ、蝶番９・９のオス部９ｂ・９ｂとする。そして首部１２・１２と回転防止板１３・１３の合わせた長さはメス蝶番９ａ・９ａの凹部７・７・７・７から末端迄の長さに比例する。
（ハ）次にメス部９ａ・９ａの挟み板６・６・６・６を少し開いて、オス部９ｂ・９ｂを嵌め込み蝶番９・９となる。再び閉じてつる１４・１４の後部を内側に湾曲させる。
（ニ）そしてつる１４・１４を玉１１・１１を中心点として、９０°半円を画いてレンズ２・２方向に移動出来るように、両挟み板６・６・６・６の内側をつるの先端１５・１５の軌道に合わせて切り取る。尚その時、切り初めと終わりに僅かであるが直線部分１６・１６・１６・１６・１６・１６・１６・１６を残す、そこはストッパーである。そして半円形に切られた中心部を逆湾曲形に切り取り、回転部８・８・８・８を設ける。
（ホ）Ｌ形金具５・５の先端近くに通し孔１８・１８をあけ、レンズを当て、ナット・ボルト１７・１７で取り付ける。
メガネ１は以上のような構成である。
これを使用する時は、折り畳まれているつる１４・１４を片方ずつ、回転部８・８迄スライドさせ、そこでそれぞれを右又は左に９０°回転させて、Ｌ形金具５・５と平行になる迄開き、従来のメガネと同じように使用する。湾曲したつる１４・１４はレンズ２・２とは９０°横向きに折り畳まれているので、元に戻す必要がある。折り畳みは前述の逆である。
つる１４・１４の回転を回転部８・８・８・８でするのは逆湾曲形に切り取られているので回転防止板１３・１３が露出して、自由に回転出来るからである。
尚、図２の（ａ）は玉１１・１１を挟む、玉挟み孔１９・１９・１９・１９であるが凹部７・７・７・７の代わりに用いても良い。（ｂ）は凹部７・７・７・７を設けない挟み板６・６・６・６に（ｃ）の玉挟みリング２０・２０・２０・２０や（ｄ）の玉押さえ板２１・２１・２１・２１を取り付けて用いても良い。又蝶番９・９をフレームにレンズを嵌めたメガネに用いても良い。
【発明の異なる実施の形態】
【０００７】  本発明の異なる実施の形態について図５から図７を用いて説明する。尚、本発明の異なる発明の説明に当たり、本発明の第１の実施の形態と同一構成部分については同一符号を付して重複の説明を省略する。
【実施例１】
【０００８】  図５から図７に示す本発明の第２の実施の形態において、前記本発明の第１の実施の形態と主に異なる点は、つる１４・１４の前部の高さを隙間１０・１０と同じ高さの角形にし、回転防止板１３・１３を設けずに、先端に首部１２・１２を設けて玉１１・１１を設けた点で、このように形成されたつる１４Ａ・１４Ａを用いて構成されたメガネ１Ａにしても、前記本発明の第１の実施の形態と同じ作用効果が得られる。
【図面の簡単な説明】
【０００９】
【図１】本発明の第１の実施の形態の使用状況の側面図。
【図２】本発明の第１の実施の形態の斜視図。
【図３】本発明の第１の実施の形態の蝶番の分解斜視図。
【図４】本発明の第１の実施の形態の他の蝶番でメス蝶番の斜視図（ａ）、他の蝶番でメス蝶番の斜視図（ｂ）、とその部品の斜視図（ｃ）、（ｄ）。
【図５】本発明の第２の実施の形態の斜視図。
【図６】本発明の第２の実施の形態の蝶番の分解斜視図。
【図７】本発明の第２の実施の形態の蝶番の斜視図。
【符号の説明】
【００１０】１，１Ａ：メガネ                      ２：レンズ
３：ブリッジ                    ４：鼻パット
５：Ｌ形金具                    ６：挟み板
７：凹部                        ８：回転部
９、９Ａ：蝶番                      ９ａ：メス蝶番
９ｂ：オス蝶番                  １０：隙間
１１：玉                        １２：首部
１３：回転防止板                １４：つる
１５：つるの先端                １６：直線部分
１７：ボルト・ナット            １８：通し孔
１９：玉挟み孔                  ２０：玉挟みリング
２１：玉押さえ板                ２２：止め金
【図１】
2006343742.tif 000003
【図２】
2006343742.tif 000004
【図３】
2006343742.tif 000005
【図４】
2006343742.tif 000006
【図５】
2006343742.tif 000007
【図６】
2006343742.tif 000008
【図７】
2006343742.tif 000009